(57)【要約】【課題】どちらの向きでもメス側コネクターに挿入できるオス側コネクターにおいて、簡易な構成であり、且つ、支持体にストレスを生じさせないコネクター、及びこのコネクターを使用した記録装置の提供を目的とする。【解決手段】所定間隔を空けて内側に向かい合う第１の面と、第２の面とを有する支持体と、複数の端子から成り、第１及び第２の面に配置される第１及び第２の端子群と、を有し、前記第１及び第２の面を同方向に向けた際、前記第１の端子群の各端子の順序と前記第２の端子群の各端子の順序とが、同じ順序となるよう各端子が配置されており、前記第１の端子群と前記第２の端子群における同じ信号が流れる端子は、それぞれ配線されている。【選択図】図１
2014067628.tif 000002
【特許請求の範囲】
【請求項１】
ＵＳＢ規格に対応したオス側のコネクターにおいて、
所定間隔を空けて内側に向かい合う第１の面と、第２の面とを有する支持体と、
複数の端子から成り、前記第１の面に配置される第１の端子群と、
複数の端子から成り、前記第２の面に配置される第２の端子群と、を有し、
前記第１及び第２の面を同方向に向けた際、前記第１の端子群の各端子の順序と前記第２の端子群の各端子の順序とが、同じ順序となるよう各端子が配置されており、
前記第１の端子群と前記第２の端子群における同じ信号が流れる端子は、それぞれ配線されている、コネクター。
【請求項２】
前記支持体は、コネクターの挿入方向で開口する箱形状であって、
前記第１の面と前記第２の面とは、前記箱形状の内側面である、請求項１に記載のコネクター。
【請求項３】
前記第１の端子群と前記第２の端子群とは、コネクターの挿入方向における前後に配列する第１の配列と第２の配列とで構成され、
前記第２の配列を形成する各端子は、付勢力を生じる板ばねで構成される、請求項１又は請求項２のいずれか一項に記載のコネクター。
【請求項４】
ＵＳＢ規格に対応したオス側のコネクターにおいて、
所定間隔を空けて内側に向かい合う第１の面と、第２の面とを有する支持体と、
複数の端子から成り、前記第１の面に配置される第１の端子群と、
複数の端子から成り、前記第２の面に配置される第２の端子群と、を有し、
前記第１及び第２の面を同方向に向けた際、前記第１の端子群の各端子の順序と前記第２の端子群の各端子の順序とが、同じ順序となるよう各端子が配置されている、コネクター。
【請求項５】
前記請求項４に記載のコネクターと、
前記コネクターの前記第１の端子群と、前記第２の端子群とに電気的に接続された制御基板と、を有し、
前記第１の端子群と前記第２の端子群における同じ信号が流れる端子は、前記制御基板上でそれぞれ電気的に接続されている、電子機器。
【発明の詳細な説明】
【技術分野】
【０００１】
本発明は、ＵＳＢ規格に対応したコネクターに関し、特に、どちらの向きにも差し込むことができるコネクターに関する。
【背景技術】
【０００２】
従来、ＵＳＢ（Universal Serial Bus）規格に対応したコネクターが知られている。このコネクターには、挿入する側のオス側コネクターと、オス側コネクターと嵌合するメス側コネクターとがある。また、それぞれのコネクターには、電気的な接続の接点となる端子と、この端子が配置される支持体とを備え、オス側コネクターをメス側コネクターに挿入させることで、端子同士が接触し、電気的な接続が確立される。
【０００３】
引用文献１には、オス側コネクターの上下の向きをどちらにして挿入しても電気的な接続が行われるコネクターが開示されている。このコネクターでは、メス側コネクターは、コネクター挿入方向にスライドする２つの支持体を備える。そして、オス側コネクターをこのメス側コネクターに挿入すると、いずれかの支持体が退避し、退避しなかったメス側コネクターの支持体と、オス側コネクターの支持体が電気的に接触する（例えば、特許文献１参照。）。
【０００４】
また、引用文献２、３には、支持体の両面に端子が配置されており、他方のコネクターを上下どちらの向きに挿入しても電気的な接続が行われるコネクターが開示されている（例えば、特許文献２、３参照。）。
【先行技術文献】
【特許文献】
【０００５】
【特許文献１】特開２００９−１７６５４３号公報
【特許文献２】特表２００７−５００９２１号公報
【特許文献３】特表２０１０−５１０６４０号公報
【発明の概要】
【発明が解決しようとする課題】
【０００６】
特許文献１に記載された発明は、コネクターを嵌合させる際、いずれかの支持体を後方に退避させるための機構を必要とする。
また、特許文献２、３に記載された発明では、コネクターを嵌合させる際、コネクターの挿入により、受け側の支持体に変形を伴う。そのため、支持体にストレスを生じさせる結果となっている。
【０００７】
本発明は、上記課題に鑑みてなされたもので、簡易な構成であり、且つ、支持体にストレスを生じさせないコネクター、及びこのコネクターを使用した記録装置の提供を目的とする。
【課題を解決するための手段】
【０００８】
上記課題を解決するために、本発明の一局面では、ＵＳＢ規格に対応したオス側のコネクターにおいて、所定間隔を空けて内側に向かい合う第１の面と、第２の面とを有する支持体と、複数の端子から成り、前記第１の面に配置される第１の端子群と、複数の端子から成り、前記第２の面に配置される第２の端子群と、を有し、前記第１及び第２の面を同方向に向けた際、前記第１の端子群の各端子の順序と前記第２の端子群の各端子の順序とが、同じ順序となるよう各端子が配置されており、前記第１の端子群と前記第２の端子群における同じ信号が流れる端子は、それぞれ配線されている構成としてある。
【０００９】
上記のように構成された発明では、支持体の向かい合う第１の面と第２の面とには、第１及び第２の端子群が配置されている。また、第１の端子群の各端子と、第２の端子群の各端子とは、各面を同じ方向に向けた際、各端子の配置順序が所定の順序となるよう配置されている。そして、このように配置された第１の端子群と第２の端子群における同じ信号が流れる端子は、それぞれ配線されている。
そのため、コネクターをどちらの向きに向けても、端子の配置順序が同じになるため、当該コネクターをどちらの向きにして挿入してもメス側コネクターが有する各端子と電気的に接続させることができる。また、本発明のコネクターをメス側コネクターに挿入する際、メス側のコネクターの支持体がオス側のコネクターの第１の面と第２の面との隙間に挿入されるため、支持体を変形させない。さらに、オス側のコネクターには、いずれかの支持体をスライド等させる機構を備える必要がなく、簡易な構造で実現することができる。
【００１０】
また、前記支持体は、コネクターの挿入方向で開口する箱形状であって、前記第１の面と前記第２の面とは、前記箱形状の内側面である構成としてもよい。
上記のように構成された発明では、支持体を箱形状とすることで、支持体に外殻の役割を備えさせることができる。そのため、外殻を抹消することができ、コストを低減させることができる。
【００１１】
そして、前記第１の端子群と前記第２の端子群とは、コネクターの挿入方向における前後に配列する第１の配列と第２の配列とで構成され、前記第２の配列を形成する各端子は、付勢力を生じる板ばねで構成される、構成としてもよい。
ＵＳＢ３．０規格では、コネクター挿入方向の前後に２つの端子配列が配置される。また一方の端子配列は板バネにより構成される。このような場合、支持体の両面に２つの端子配列をそれぞれ配置することが難しくなる。一方、本発明では、端子の配置は、第１の面と第２の面との異なる面に配置されるため、ＵＳＢ３．０規格であっても容易に、各端子を配置させることができる。
【００１２】
また、本発明の他の局面として、ＵＳＢ規格に対応したオス側のコネクターにおいて、所定間隔を空けて内側に向かい合う第１の面と、第２の面とを有する支持体と、前記第１の面に配置される第１の端子群と、前記第２の面に配置される第２の端子群と、を有し、前記第１及び第２の面を同方向に向けた際、前記第１の端子群の各端子の順序と前記第２の端子群の各端子の順序とが、同じ順序となるよう各端子が配置されている構成としてもよい。
【００１３】
また、本発明は、コネクターに限らず、このコネクターを用いた電子機器においても適用することができる。
【発明の効果】
【００１４】
以上説明したように本発明によれば、両面実装が可能なオス側コネクターにおいて、支持体に過度のストレスを生じさせることなく、コネクター間の嵌合を行うことができる。また、コネクター間の嵌合を行うための余分な機構を備える必要がなく、装置をコンパクトにすることができる。
【図面の簡単な説明】
【００１５】
【図１】ＵＳＢメモリー１とＰＣ１００の接続を説明する斜視図である。
【図２】ＵＳＢメモリーの構成を示す斜視図である。
【図３】ＵＳＢメモリー１のブロック構成図である。
【図４】コネクターの内部を示す図である。
【図５】コネクターの内部を示す図である。
【図６】コネクター１０とレセプタクル３０との嵌合を説明する断面図である。
【図７】第２の実施形態に係るＵＳＢメモリー１を示す斜視図である。
【図８】コネクター１０とレセプタクル３０との嵌合を説明する断面図である。
【図９】ＵＳＢ３．０に対応するコネクターを説明する図である。
【図１０】ＵＳＢメモリー１のブロック構成図である。
【発明を実施するための形態】
【００１６】
以下、図を参照しつつ下記の順序に従って本発明の実施形態を説明する。なお、同一の符号を付した箇所は同一及び相等の箇所を示し、その説明は繰返さない。
１．第１の実施形態：
２．第２の実施形態：
３．その他の実施形態：
【００１７】
１．第１の実施形態：
図１は、ＵＳＢメモリー１とＰＣ１００の接続を説明する斜視図である。また、図２は、ＵＳＢメモリーの構成を示す斜視図である。そして、図３は、ＵＳＢメモリー１のブロック構成図である。さらに、図４、５は、コネクターの内部を示す図である。
【００１８】
第１の実施形態では、コネクターは、ＵＳＢメモリー１の一部として実現される。この実施形態では、図１（ａ）（ｂ）に示すように、ＵＳＢメモリー１は、ＵＳＢ２．０／１．１に対応したＰＣ１００のレセプタクル（メス側コネクター）３０に抜き差しして使用される。ＵＳＢメモリー１は、内部にＥＰＲＯＭ（Erasable and Programmable ROM）等のメモリーを内蔵し、ＰＣ１００からの信号により、データーの記録又は再生を行う。
【００１９】
図２に示すように、ＵＳＢメモリー１は、コネクター１０と、ハウジング２０と、を備える。また、図３に示すように、ハウジング２０内部には、プリント基板２１が収容されている。そして、このプリント基板２１は、ＵＳＢコントローラー２２とメモリー２３と、を備える。
【００２０】
コネクター１０は、プリント基板２１と電気的に接続されている。また、コネクター１０は、支持体１１と、端子群１２、１３と、プラグシェル（外殻）１４とを備える。
図１、２、４に示すように、支持体１１は、コネクター１０の内部でハウジング２０の前部から直線状に延設する矩形の第１の片１５と、コネクター１０の内部でこの第１の片１５と水平にハウジング２０から延設する第２の片１６とを備える。そして、第１の片１５と第２の片１６の内向きに対向する面が、第１の面１１ａ、第２の面１１ｂとなる。この第１の面１１ａと第２の面１１ｂにはそれぞれ端子群１２、１３が配置されている。
【００２１】
第１の面１１ａと第２の面１１ｂとの間隔ｓ１は、レセプタクル３０の支持体３１の厚みと比べて広い必要があり、略同寸であることが望ましい。本実施形態では、支持体１１を側面がコ字状とすることで、第１の片１５と第２の片１６との間に間隔ｓ１を形成するが、支持体１１の形状はこれに限定されない。
また、支持体１１を構成する第１の片１５と第２の片１６の厚みは、レセプタクル３０内部での、支持体３１とハウジング受け３３の内壁との間の隙間ｓ２、ｓ３と比べて狭い必要がある。
【００２２】
図４（ａ）は、支持体１１の第１の面１１ａに配置される端子群（第１の端子群）１２を示す図である。また、図４（ｂ）は、支持体１１の第２の面１１ｂに配置される端子群（第２の端子群）１３を示す図である。そして、図４（ｃ）は、コネクターの開口側から見た各端子の配置を示す図である。
【００２３】
第１及び第２の面１１ａ、１１ｂに配置される端子群１２、１３には、Ｖｃｃ信号、Ｄ＋信号、Ｄ−信号、ＧＮＤ信号の４種類の信号が流れる。図４（ａ）に示すように、端子群１２は、Ｖｃｃ信号が流れるＶｃｃ端子１２ａ、Ｄ＋信号が流れるＤ＋端子１２ｂ、Ｄ−信号が流れるＤ−端子１２ｃ、ＧＮＤ信号が流れるグランド端子１２ｄにより構成されている。
また、図４（ｂ）に示すように、端子群１３は、端子群１２と同様、Ｖｃｃ端子１３ａ、Ｄ＋端子１３ｂ、Ｄ−端子１３ｃ、グランド端子１３ｄにより構成され、各端子には４種類の信号が流れる。
【００２４】
端子群１２と端子群１３の各端子の配置順序は、第１の面１１ａと第２の面１１ｂとを同じ方向に向けた場合に、コネクター挿入方向と垂直な方向（幅方向）に、Ｖｃｃ端子１２ａ（１３ａ）、Ｄ＋端子１２ｂ（１３ｂ）、Ｄ−端子１２ｃ（１３ｃ）、グランド端子１２ｄ（１３ｄ）の順序となるよう、各端子が配置されている。そのため、図４（ｃ）に示すように、端子群１２と端子群１３とは、向かい合った状態で、同じ信号が流れる端子同士が点対称となるよう第１の面１１ａと第２の面１１ｂとに配置されている。
なお、図４に示す、各端子の配置順序は、一例であり、これに限定されない。
【００２５】
さらに、同じ信号が流れる端子はそれぞれ配線されており、いずれの端子群１２、１３がレセプタクル３０の端子群３２（後述）と接触しても、信号が流れるようになっている。図５（ａ）は、Ｖｃｃ端子１２ａ、１３ａの配線を説明する断面図である。なお、図５（ａ）では、便宜上、Ｖｃｃ端子１２、１３の配線のみを示すが、他の端子も同じ構成である。Ｖｃｃ端子１２ａとＶｃｃ端子１３ａとは、コネクター１０の後方で配線パターン１７ａを用いて配線されている。そして、この配線パターン１７ａは、プリント基板２１の配線パターン２１ａに配線されている。また、この配線パターン２１ａはＵＳＢコントローラー２２のポート２２ａに接続されおり、Ｖｃｃ端子１２ａ、１３ａのいずれもＵＳＢコントローラー２２と電気的に接続される（図３）。
【００２６】
同様に、図３に示すように、Ｄ＋端子１２ｂとＤ＋端子１３ｂは、コネクター１０の後方で配線パターン１７ｂを用いて配線され、この配線パターン１７ｂは、プリント基板２１のＵＳＢコントローラー２２のＤ＋ポート２２ｂに接続されている。そして、Ｄ−端子１２ｃとＤ−端子１３ｃとは、コネクター１０の後方で配線パターン１７ｃを用いて配線され、この配線パターン１７ｃはＤ＋−ポート２２ｃに接続されている。さらに、グランド端子１２ｄとグランド端子１３ｄは、コネクター１０の後方で配線パターン１７ｄを用いて配線され、この配線パターン１７ｄは、ポート２２ｄに接続されている。そのため、各配線パターン１７ａ〜１７ｄは、コネクター１０の後方で交差するよう配置されることとなる。端子群１２、１３をコネクター１０側で配線することで、プリント基板２１の配線を片面しか端子を備えない従来のコネクターのものを流用することができる。また、配線パターン１７ａ〜１７ｄは、パターン形状により構成する以外にも、ワイヤー配線を用いるものであってもよい。
【００２７】
さらに、端子群１２、１３の配線方法としては、コネクター１０の後方で各端子を配線する以外にも、図５（ｂ）に示すように、プリント基板２１側で各端子を配線するものであってもよい。即ち、Ｖｃｃ端子１２ａとＶｃｃ端子１３ａとは、配線パターン１８ａ、１９ａによりそれぞれ別々にプリント基板２１の配線パターン２１ａに配線されている。そのため、Ｖｃｃ端子１２ａとＶｃｃ端子１３ａとは、配線パターン１８ａ、１９ａ、２１ａを用いて、プリント基板２１上で配線される。無論、Ｄ＋端子１２ｂ、１３ｂ、Ｄ−端子１２ｃ、１３ｃ、グランド端子１２ｄ、１３ｄも、図４（ｅ）に示す、Ｖｃｃ端子１２ａ、１３ａと同様、プリント基板２１側で配線され、各部に接続される。
【００２８】
支持体１１の製造方法としては、例えば、第１の片１５と第２の片１６とを樹脂成形により一体で成形して製造される。
また、端子群１２、１３を第１の面１１ａ、第２の面１１ｂに配置する方法としては、支持体１１を樹脂成形する場合は、各端子をインジェクション成形により配置する。
【００２９】
プラグシェル１４は、コネクター挿入方向に開口する箱型形状であり、その内部に支持体１１を収容している。また、プラグシェル１４は、レセプタクル３０のハウジング受け３３に挿入される挿入部としても機能する。プラグシェル１４のコネクター挿入方向の外周は、レセプタクル３０のハウジング受け３３の内周と比べて小さい必要がある。
プラグシェル１４の製造方法は、例えば、金属片を曲げ加工して形成される。
【００３０】
ＵＳＢコントローラー２２は、コネクター１０のＤ＋端子１２ｂ（１３ｂ）、Ｄ−端子１２ｃ（１３ｃ）との間でデーター信号（Ｄ＋信号、Ｄ−信号）を通信する。
また、ＵＳＢコントローラー３０は、メモリー２３と接続されている。そのため、ＵＳＢコントローラー３０は、受信したデーター信号をメモリー２３の所定アドレスに書き込む他、メモリー２３から読み出されたデーター信号をＤ＋端子１２ｂ（１３ｂ）及びＤ−端子１２ｃ（１３ｃ）に出力することができる。
【００３１】
次に、図１（ｂ）をもとに、レセプタクル３０の構成を説明する。
レセプタクル３０は、ＰＣ１００の前部に配置されている。レセプタクル３０は、支持体３１と、端子群３２と、ハウジング受け３３と、を備える。
【００３２】
ハウジング受け３３は、例えば、ＰＣ１００の筺体前面で開口する凹部として構成される。また、ハウジング受け３３の内部には、支持体３１が、図中上下に隙間ｓ２、ｓ３を形成するよう取り付けられている。
【００３３】
支持体３１は、端子群３２を所定位置に支持する。また、支持体３１は、矩形状の片がハウジング受け３３の奥側の壁から延設するよう配置されている。
【００３４】
端子群３２は、支持体３１の面３１ａに配線されており、ＵＳＢ２．０／１．１に対応する４種類の信号（Ｖｃｃ信号、Ｄ＋信号、Ｄ−信号、ＧＮＤ信号）が流れる。そのため、端子群３２は、Ｖｃｃ信号が流れるＶｃｃ端子、Ｄ＋信号が流れるＤ＋端子、Ｄ−信号が流れるＤ−端子、ＧＮＤ信号が流れるグランド端子の４つの端子により構成される。また、端子群３２は、ＰＣ１００の内部で図示しない回路に配線されている。なお、端子群３２を構成する各端子の配置順序は、コネクター１０に備えられる端子群１２、１３の各端子の配置順序に対応している。
【００３５】
支持体３１は、例えば、樹脂成形により製造される。
また、端子群３２は、支持体３１に対してインジェクション成形により配線される。
【００３６】
次に、コネクター１０とレセプタクル３０との電気的な接続を説明する。
図６は、コネクター１０とレセプタクル３０との嵌合を説明する断面図である。
【００３７】
図６（ａ）に示すように、第１の面１１ａを下に向けた状態で、コネクター１０を、レセプタクル３０のハウジング受け３３に挿入する。すると、支持体１１の第１の片１５と第２の片１６とが、それぞれハウジング受け３３の内壁と支持体３１との隙間ｓ２、ｓ３に挿入され、第１の面１１ａと第２の１１ｂの隙間ｓ１にレセプタクル３０の支持体３１が挿入される。そのため、端子群１２のＶｃｃ端子１２ａ、Ｄ＋端子１２ｂ、Ｄ−端子１２ｃ、グランド端子１２ｄが、端子群３２のＶｃｃ端子、Ｄ＋端子、Ｄ−端子、グランド端子とそれぞれ接触し、両者が電気的に接続される。
この時、プラグシェル１４により、第１の面１１ａと第２の面１１ｂとが、支持体３１を図中上下方向から挟み込み、両者の接続を確かなものとする。
【００３８】
一方、図６（ｂ）に示すように、第２の面１１ｂを下に向けた状態で、コネクター１０を、レセプタクル３０のハウジング受け３３に挿入する。すると、支持体１１の第１の面１１ａと第２の面１１ｂとの隙間ｓ１に支持体３１が挿入される。この状態では、端子群１３のＶｃｃ端子１３ａ、Ｄ＋端子１３ｂ、Ｄ−端子１３ｃ、グランド端子１３ｄが、端子群３２のＶｃｃ端子、Ｄ＋端子、Ｄ−端子、グランド端子とそれぞれ接触し、両者が電気的に接続される。
【００３９】
以上説明したように、この第１の実施形態では、コネクター１０をどちらの向きでレセプタクル（メス側コネクター）３０に挿入した場合でも、同じ信号が流れる端子同士が接触し、電気的な接続を確立することができる。
また、レセプタクル３０の支持体３１は、オス側のコネクターの第１の面１１ａと第２の面１１ｂとの隙間に挿入されるため、支持体３１に過度の変形を生じさせない。
さらに、オス側のコネクターには、いずれかの支持体をスライド等させる機構を備える必要がなく、簡易な構成とすることができる。
【００４０】
２．第２の実施形態：
図７は、第２の実施形態に係るＵＳＢメモリー１を示す斜視図である。また、図８は、コネクター１０とレセプタクル３０との嵌合を説明する断面図である。
【００４１】
第２の実施形態に係るＵＳＢメモリー１は、コネクター１１０と、ハウジング１２０と、を備える。また、コネクター１１０は、支持体１１１と、端子群１１２、１１３と、を備える。この第２の実施形態では、支持体１１１がプラグシェルの機能を備える構成において、第１の実施形態と異なる。
【００４２】
図７、８に示すように、支持体１１１は、コネクターの挿入方向に開口を有する箱形状である。即ち、支持体１１１は、レセプタクル３０のハウジング受け３３に挿入される挿入部としても機能する。そのため、支持体１１１の外周は、ハウジング受け３３の内周と比べて小さい必要がある。また、支持体１１１は、金属で形成されていてもよいが、端子群１１２、１１３と絶縁されていることが望ましい。
【００４３】
第１の面１１１ａと第２の面１１１ｂとの間隔ｓ１は、第１の実施形態同様、レセプタクル３０の支持体３１の厚みと比べて広い必要があり、略同寸であることが望ましい。
また、支持体１１１の厚みは、第１の実施形態同様、レセプタクル３０の支持体３１と、ハウジング受け３３の内壁との間の厚みｓ２、ｓ３と比べて狭い必要がある。
【００４４】
そして、第１の面１１１ａ及び第２の面１１１ｂとは、箱形状の支持体１１の内側に向かい合う面により実現される。そして、この第１の面１１１ａと第２の面１１１ｂには、端子群１１２、１１３が配置されている。端子群１１２、１１３は、例えば、フィルム状の端子群を第１の面１１１ａ及び第２の面１１１ｂにそれぞれ張り合わせることで配置される。そして、この端子群１１２、１１３は、ハウジング１２０の内部で、第１の実施形態同様、ＵＳＢコントローラー２２と電気的に接続されている。
【００４５】
また、ハウジング１２０及びハウジング１２０の内部は、第１の実施形態と同様であるため説明を省略する。
【００４６】
次に、第２の実施形態に係るコネクターの接続方法を説明する。
【００４７】
図７（ａ）に示すように、第１の面１１１ａを下に向けた状態で、コネクター１１０を、レセプタクル３０に挿入する。すると、支持体１１１の第１の面１１１ａと第２の面１１１ｂとの隙間にレセプタクル３０の支持体３１が挿入される。そのため、端子群１１２と端子群３２とが接触し、両者が電気的に接続される。
【００４８】
一方、図７（ｂ）に示すように、第２の面１１１ｂを下に向けた状態で、コネクター１１０を、ＰＣ１００のレセプタクル３０に挿入する。すると、支持体１１１の第１の面１１１ａと第２の面１１１ｂの隙間にレセプタクル３０の支持体３１が挿入される。この状態では、端子群１１３と端子群３２とが接触し、両者が電気的に接続される。
【００４９】
以上説明したように、この第２の実施形態では、第１の実施形態による効果に加えて、以下の効果を奏する。即ち、支持体１１１にプラグシェルの機能を備えさせることで、支持体１１１によりレセプタクル３０の支持体３１と勘合することでより強固に端子同士を接触させることができる。また、プラグシェルを抹消することができるため、コネクター１０の構成をよりシンプルにすることができる。
【００５０】
３．その他の実施形態：
ＵＳＢメモリー１が採用する規格は、ＵＳＢ３．０であってもよい。ＵＳＢ３．０では各端子には、Ｖｃｃ信号、Ｄ＋信号、Ｄ−信号、ＧＮＤ信号と、Ｒｘ＋信号、Ｒｘ−信号、ＧＮＤ信号、Ｔｘ＋信号、Ｔｘ−信号の各信号が流れる。そのため、この実施形態では、第１及び第２の実施形態と比べて支持体に配置される端子の数が異なることとなる。
図９は、ＵＳＢ３．０に対応するコネクターを説明する図である。また、図１０は、ＵＳＢメモリー１のブロック構成図である。
【００５１】
図９、１０に示すように、ＵＳＢメモリー１は、第１及び第２の実施形態同様、コネクター２１０と、ハウジング２６０と、を備える。
また、ハウジング２６０の内部には、プリント基板２２１が収容されている。そして、このプリント基板２２１は、ＵＳＢコントローラー２２２とメモリー２２３と、を備える。
【００５２】
図９（ａ）は、コネクターの側部断面図である。コネクター２１０は、支持体２１１と、端子群２１２、２１３と、プラグシェル２１４とを備える。支持体２１１は、内向きに向かい合う第１の面２１１ａ及び第２の面２１１ｂを備え、各面のそれぞれに、端子群（第１の端子群）２１２と端子群（第２の端子群）が配置されている。また、第１の面２１１ａ及び第２の面２１１ｂに配置される端子群２１２、２１３は、コネクター挿入方向に２列の組（第１の配列２２０、２４０、第２の配列２３０、２５０）により構成されている。
【００５３】
図９（ｂ）は、コネクターの第１の面２１１ａに配線される端子を示す図である。第１の配列２２０は、Ｖｃｃ信号が流れるＶｃｃ端子２２０ａ、Ｄ＋信号が流れるＤ＋端子２２０ｂ、Ｄ−信号が流れるＤ−端子２２０ｃ、ＧＮＤ信号が流れるグランド端子２２０ｄが所定の順序で配置されて構成される。
そして、第１の面２１１ａの第１の配列２２０より後方には、第２の配列２３０が配置されている。この第２の配列２３０は、Ｒｘ＋信号が流れるＲｘ＋端子２３０ａ、Ｒｘ−信号が流れるＲｘ−端子２３０ｂ、ＧＮＤ信号が流れるグランド端子２３０ｃ、Ｔｘ＋信号が流れるＴｘ＋端子２３０ｄ、Ｔｘ−信号が流れるＴｘ−端子２３０ｅの各端子が所定の順序で配置されている。
【００５４】
また、図９（ｂ）は、コネクターの第２の面２１１ｂに配線される端子を示す図である。第２の面２１１ｂに配置される第１の配列２４０は、Ｖｃｃ信号が流れるＶｃｃ端子２４０ａ、Ｄ＋信号が流れるＤ＋端子２４０ｂ、Ｄ−信号が流れるＤ−端子２４０ｃ、ＧＮＤ信号が流れるグランド端子２４０ｄが所定の順序で配置されて構成される。
そして、第２の面２１１ｂの第１の配列２４０より後方には、第２の配列２５０が配置されている。この第２の配列２５０には、Ｒｘ＋信号が流れるＲｘ＋端子２５０ａ、Ｒｘ−信号が流れるＲｘ−端子２５０ｂ、ＧＮＤ信号が流れるグランド端子２５０ｃ、Ｔｘ＋信号が流れるＴｘ＋端子２５０ｄ、Ｔｘ−信号が流れるＴｘ−端子２５０ｅの各端子が所定の順序で配置されている。
【００５５】
第１の配列２２０、２４０を構成する各端子は、パターン形状であるのに対して、第２の配列２３０、２５０を構成する各端子は、付勢力を生じる板ばねで構成されている。また、各端子は、第１及び第２の実施形態同様、第１の面２１１ａと第２の面２１１ｂとを同じ向きにした際、各端子の配置順序が同じ順序となるよう配置されている。なお、端子群２１２、２１３を構成する端子の配置順序は、一例にすぎず、図９に示すものに限定されない。
【００５６】
また、図１０に示すように、同じ信号が流れる端子はそれぞれ配線されており、いずれの端子群２１２、２１３がレセプタクル３０の端子群３２と接触しても、信号が流れるようになっている。そのため、例えば、Ｖｃｃ端子２２０ａとＶｃｃ端子２４０ａとは、コネクター１０の後方で交差する配線パターン２１７ａを用いて接続され、この配線パターン２１７ａはＵＳＢコントローラー２２２のポート２２２ａに接続されている。同様に、Ｄ＋端子２２０ｂ、２４０ｂを配線する配線パターン２１７ｂは、Ｄ＋ポート２２２ｂに接続されている。そして、Ｄ−端子２２０ｃ、２４０ｃを配線する配線パターン２１７ｃは、Ｄ−ポート２２２ｃに配線されている。さらに、グランド端子２２０ｄ、２４０ｄを配線する配線パターン２１７ｄは、ポート２２２ｄに配線されている。
【００５７】
更に、Ｒｘ＋端子２３０ａ、２５０ａを配線する配線パターン２１７ｅは、ＵＳＢコントローラー２２２のＲｘ＋ポート２２２ｅに接続されている。また、Ｒｘ−端子２３０ｂ、２５０ｂを配線する配線パターン２１７ｆは、Ｒｘ-ポート２２２ｆに接続されている。そして、グランド端子２３０ｃ、２５０ｃを配線する配線パターン２１７ｇは、ポート２２２ｇに配線されている。さらに、Ｔｘ＋端子２３０ｄ、２５０ｄを配線する配線パターン２１７ｈは、Ｔｘ+ポート２２２ｈに接続されている。また、Ｔｘ−端子２３０ｅ、２５０ｅを配線する配線パターン２１７ｉは、Ｔｘ-ポート２２２ｉに接続されている。
なお、第１の実施形態同様、各端子は、コネクター１０側で配線パターン２１７ａ〜２１７ｉを用いて配線される以外にも、各端子を別々に配線しておき、プリント基板２１１側で同じ配線パターンに配線されるものであってもよい。
【００５８】
ここで、コネクター１０の両面挿入を可能にするため、支持体２１１の両面にコネクター挿入方向で前後に並んだ端子群をそれぞれ配置した場合、支持体２１１の厚みが薄いと、両面に端子を配置するのが困難となる場合がある。一方、この実施形態では、各端子群２１２、２１３は、第１の面２１１ａと第２の面２１１ｂとの異なる面にそれぞれ配置されるため、支持体２１１の両面に複数の端子を配置する必要がない。そのため、ＵＳＢ３．０規格の端子構成に容易に対応することが可能となる。
【００５９】
また、コネクターは、ＵＳＢメモリーに備えられるものに限定されない。例えば、ＵＳＢケーブル、無線装置、ワンセグ受信装置に備えられたオス側コネクターであってもよい。
【００６０】
なお、本発明は上記実施例に限られるものでないことは言うまでもない。
即ち、上記実施例の中で開示した相互に置換可能な部材および構成等を適宜その組み合わせを変更して適用してもよい。
公知技術であって上記実施例の中で開示した部材および構成等と相互に置換可能な部材および構成等を適宜置換し、またその組み合わせを変更して適用してもよい。
公知技術等に基づいて当業者が上記実施例の中で開示した部材および構成等の代用として想定し得る部材および構成等と適宜置換し、またその組み合わせを変更して適用してもよい。
【符号の説明】
【００６１】
１…ＵＳＢメモリー、１０…コネクター、１１…支持体、１１ａ…第１の面、１１ｂ…第２の面、１２、１３…端子群、１４…プラグシェル、１５…第１の片、１６…第２の片、２０…ハウジング、３０…レセプタクル、３１…支持体、３２…端子群、３３…ハウジング受け、１１０…コネクター、１１１…支持体、１１１ａ…第１の面、１１１ｂ…第２の面、１１２、１１３…端子群、１２０…ハウジング、２１０…コネクター、２１１…支持体、２１１ａ…第１の面、２１１ｂ…第２の面、２１２、２１３…端子群
【図１】
2014067628.tif 000003
【図２】
2014067628.tif 000004
【図３】
2014067628.tif 000005
【図４】
2014067628.tif 000006
【図５】
2014067628.tif 000007
【図６】
2014067628.tif 000008
【図７】
2014067628.tif 000009
【図８】
2014067628.tif 000010
【図９】
2014067628.tif 000011
【図１０】
2014067628.tif 000012
【手続補正書】
【提出日】平成25年7月18日(2013.7.18)
【手続補正１】
【補正対象書類名】明細書
【補正対象項目名】００１５
【補正方法】変更
【補正の内容】
【００１５】
【図１】ＵＳＢメモリー１とＰＣ１００の接続を説明する斜視図である。
【図２】ＵＳＢメモリーの構成を示す斜視図である。
【図３】ＵＳＢメモリー１のブロック構成図である。
【図４】コネクターの内部を示す図である。
【図５】コネクターの内部を示す図である。
【図６】コネクター１０とレセプタクル３０との嵌合を説明する断面図である。
【図７】第２の実施形態に係るＵＳＢメモリー１を示す斜視図である。
【図８】コネクター１１０とレセプタクル３０との嵌合を説明する断面図である。
【図９】ＵＳＢ３．０に対応するコネクターを説明する図である。
【図１０】ＵＳＢメモリー１のブロック構成図である。
【手続補正２】
【補正対象書類名】明細書
【補正対象項目名】００２５
【補正方法】変更
【補正の内容】
【００２５】
さらに、同じ信号が流れる端子はそれぞれ配線されており、いずれの端子群１２、１３がレセプタクル３０の端子群３２（後述）と接触しても、信号が流れるようになっている。図５（ａ）は、Ｖｃｃ端子１２ａ、１３ａの配線を説明する断面図である。なお、図５（ａ）では、便宜上、Ｖｃｃ端子１２ａ、１３ａの配線のみを示すが、他の端子も同じ構成である。Ｖｃｃ端子１２ａとＶｃｃ端子１３ａとは、コネクター１０の後方で配線パターン１７ａを用いて配線されている。そして、この配線パターン１７ａは、プリント基板２１の配線パターン２１ａに配線されている。また、この配線パターン２１ａはＵＳＢコントローラー２２のポート２２ａに接続されおり、Ｖｃｃ端子１２ａ、１３ａのいずれもＵＳＢコントローラー２２と電気的に接続される（図３）。
【手続補正３】
【補正対象書類名】明細書
【補正対象項目名】００２６
【補正方法】変更
【補正の内容】
【００２６】
同様に、図３に示すように、Ｄ＋端子１２ｂとＤ＋端子１３ｂは、コネクター１０の後方で配線パターン１７ｂを用いて配線され、この配線パターン１７ｂは、プリント基板２１のＵＳＢコントローラー２２のＤ＋ポート２２ｂに接続されている。そして、Ｄ−端子１２ｃとＤ−端子１３ｃとは、コネクター１０の後方で配線パターン１７ｃを用いて配線され、この配線パターン１７ｃはＤ−ポート２２ｃに接続されている。さらに、グランド端子１２ｄとグランド端子１３ｄは、コネクター１０の後方で配線パターン１７ｄを用いて配線され、この配線パターン１７ｄは、ポート２２ｄに接続されている。そのため、各配線パターン１７ａ〜１７ｄは、コネクター１０の後方で交差するよう配置されることとなる。端子群１２、１３をコネクター１０側で配線することで、プリント基板２１の配線を片面しか端子を備えない従来のコネクターのものを流用することができる。また、配線パターン１７ａ〜１７ｄは、パターン形状により構成する以外にも、ワイヤー配線を用いるものであってもよい。
【手続補正４】
【補正対象書類名】明細書
【補正対象項目名】００２７
【補正方法】変更
【補正の内容】
【００２７】
さらに、端子群１２、１３の配線方法としては、コネクター１０の後方で各端子を配線する以外にも、図５（ｂ）に示すように、プリント基板２１側で各端子を配線するものであってもよい。即ち、Ｖｃｃ端子１２ａとＶｃｃ端子１３ａとは、配線パターン１８ａ、１９ａによりそれぞれ別々にプリント基板２１の配線パターン２１ａに配線されている。そのため、Ｖｃｃ端子１２ａとＶｃｃ端子１３ａとは、配線パターン１８ａ、１９ａ、２１ａを用いて、プリント基板２１上で配線される。無論、Ｄ＋端子１２ｂ、１３ｂ、Ｄ−端子１２ｃ、１３ｃ、グランド端子１２ｄ、１３ｄも、図４に示す、Ｖｃｃ端子１２ａ、１３ａと同様、プリント基板２１側で配線され、各部に接続される。
【手続補正５】
【補正対象書類名】明細書
【補正対象項目名】００３０
【補正方法】変更
【補正の内容】
【００３０】
ＵＳＢコントローラー２２は、コネクター１０のＤ＋端子１２ｂ（１３ｂ）、Ｄ−端子１２ｃ（１３ｃ）との間でデーター信号（Ｄ＋信号、Ｄ−信号）を通信する。
また、ＵＳＢコントローラー２２は、メモリー２３と接続されている。そのため、ＵＳＢコントローラー２２は、受信したデーター信号をメモリー２３の所定アドレスに書き込む他、メモリー２３から読み出されたデーター信号をＤ＋端子１２ｂ（１３ｂ）及びＤ−端子１２ｃ（１３ｃ）に出力することができる。
【手続補正６】
【補正対象書類名】明細書
【補正対象項目名】００４０
【補正方法】変更
【補正の内容】
【００４０】
２．第２の実施形態：
図７は、第２の実施形態に係るＵＳＢメモリー１を示す斜視図である。また、図８は、コネクター１１０とレセプタクル３０との嵌合を説明する断面図である。
【手続補正７】
【補正対象書類名】明細書
【補正対象項目名】００４７
【補正方法】変更
【補正の内容】
【００４７】
図８（ａ）に示すように、第１の面１１１ａを下に向けた状態で、コネクター１１０を、レセプタクル３０に挿入する。すると、支持体１１１の第１の面１１１ａと第２の面１１１ｂとの隙間にレセプタクル３０の支持体３１が挿入される。そのため、端子群１１２と端子群３２とが接触し、両者が電気的に接続される。
【手続補正８】
【補正対象書類名】明細書
【補正対象項目名】００４８
【補正方法】変更
【補正の内容】
【００４８】
一方、図８（ｂ）に示すように、第２の面１１１ｂを下に向けた状態で、コネクター１１０を、ＰＣ１００のレセプタクル３０に挿入する。すると、支持体１１１の第１の面１１１ａと第２の面１１１ｂの隙間にレセプタクル３０の支持体３１が挿入される。この状態では、端子群１１３と端子群３２とが接触し、両者が電気的に接続される。
【手続補正９】
【補正対象書類名】明細書
【補正対象項目名】００４９
【補正方法】変更
【補正の内容】
【００４９】
以上説明したように、この第２の実施形態では、第１の実施形態による効果に加えて、以下の効果を奏する。即ち、支持体１１１にプラグシェルの機能を備えさせることで、支持体１１１によりレセプタクル３０の支持体３１と勘合することでより強固に端子同士を接触させることができる。また、プラグシェルを抹消することができるため、コネクター１１０の構成をよりシンプルにすることができる。
【手続補正１０】
【補正対象書類名】明細書
【補正対象項目名】００５４
【補正方法】変更
【補正の内容】
【００５４】
また、図９（ｃ）は、コネクターの第２の面２１１ｂに配線される端子を示す図である。第２の面２１１ｂに配置される第１の配列２４０は、Ｖｃｃ信号が流れるＶｃｃ端子２４０ａ、Ｄ＋信号が流れるＤ＋端子２４０ｂ、Ｄ−信号が流れるＤ−端子２４０ｃ、ＧＮＤ信号が流れるグランド端子２４０ｄが所定の順序で配置されて構成される。
そして、第２の面２１１ｂの第１の配列２４０より後方には、第２の配列２５０が配置されている。この第２の配列２５０には、Ｒｘ＋信号が流れるＲｘ＋端子２５０ａ、Ｒｘ−信号が流れるＲｘ−端子２５０ｂ、ＧＮＤ信号が流れるグランド端子２５０ｃ、Ｔｘ＋信号が流れるＴｘ＋端子２５０ｄ、Ｔｘ−信号が流れるＴｘ−端子２５０ｅの各端子が所定の順序で配置されている。
【手続補正１１】
【補正対象書類名】明細書
【補正対象項目名】００５７
【補正方法】変更
【補正の内容】
【００５７】
更に、Ｒｘ＋端子２３０ａ、２５０ａを配線する配線パターン２１７ｅは、ＵＳＢコントローラー２２２のＲｘ＋ポート２２２ｅに接続されている。また、Ｒｘ−端子２３０ｂ、２５０ｂを配線する配線パターン２１７ｆは、Ｒｘ-ポート２２２ｆに接続されている。そして、グランド端子２３０ｃ、２５０ｃを配線する配線パターン２１７ｇは、ポート２２２ｇに配線されている。さらに、Ｔｘ＋端子２３０ｄ、２５０ｄを配線する配線パターン２１７ｈは、Ｔｘ+ポート２２２ｈに接続されている。また、Ｔｘ−端子２３０ｅ、２５０ｅを配線する配線パターン２１７ｉは、Ｔｘ-ポート２２２ｉに接続されている。
なお、第１の実施形態同様、各端子は、コネクター２１０側で配線パターン２１７ａ〜２１７ｉを用いて配線される以外にも、各端子を別々に配線しておき、プリント基板２２１側で同じ配線パターンに配線されるものであってもよい。
【手続補正１２】
【補正対象書類名】明細書
【補正対象項目名】００５８
【補正方法】変更
【補正の内容】
【００５８】
ここで、コネクター２１０の両面挿入を可能にするため、支持体２１１の両面にコネクター挿入方向で前後に並んだ端子群をそれぞれ配置した場合、支持体２１１の厚みが薄いと、両面に端子を配置するのが困難となる場合がある。一方、この実施形態では、各端子群２１２、２１３は、第１の面２１１ａと第２の面２１１ｂとの異なる面にそれぞれ配置されるため、支持体２１１の両面に複数の端子を配置する必要がない。そのため、ＵＳＢ３．０規格の端子構成に容易に対応することが可能となる。